(57)【要約】【課題】ヘッドの取り付け、取り外しが容易で取り外しが容易でポールとヘッドの取り付け時に電源も供給でき、白色発光ダイオードの不点灯故障が発生したときの修理が迅速に行え、机上の照射範囲の拡大と選定を容易に行うことができるデスクライト装置を提供する。【解決手段】  台座、ポール、白色発光ダイオードを搭載した配線基板、筒状円形ヘッドから成るデスクライト装置において、ポール先端に電源供給用ＤＣプラグと筒状円形ヘッドの底部の中心以外に白色発光ダイオードに電源を供給するＤＣジャックを設ける。【選択図】図１
0003136138.tif 000002
【実用新案登録請求の範囲】
【請求項１】
台座、ポール、発光ダイオードを実装した配線基板を筒状円形容器の底部に具備したヘッド、該ポール先端に取り付けたＤＣプラグ、該筒状円形容器底部に取り付けたＤＣジャックから成るデスクライトにおいて、該ＤＣジャックを該筒状円形容器底部の中心以外に設けたことを特徴とするデスクライト装置
【請求項２】
前記ポール先端に取り付けたＤＣプラグ、該筒状円形容器底部に取り付けたＤＣジャックから発光ダイオードに電源を供給することを特徴とするデスクライト装置
【考案の詳細な説明】
【技術分野】
【０００１】  発光ダイオードを実装した配線基板を筒状円形容器の底部に具備したヘッドの上下左右方向の移動を容易に行えるデスクライト装置に関する。
【背景技術】
【０００２】  省エネルギーの観点から白色発光ダイオードを用いたデスクライト装置が使用されるようになってきた。現状の白色発光ダイオードを用いたデスクライト装置は基本的には、電源、台座、ポールとして変形可能なフレキシブルパイプ、白色発光ダイオードを搭載した配線基板を収納したヘッドで構成されている。ヘッドはフレキシブルパイプ先端に固定されており、フレキシブルパイプを前後左右に曲げることによりヘッド位置を移動し、机上面の照射位置を選定するようになっている。
【考案の開示】
【考案が解決しようとする課題】
【０００３】  図４に従来のデスクライト装置の一実施例を示す。１０１はデスクライト装置、１はＡＣアダプタ、２はＡＣアダプタ１のＤＣプラグ、３は台座、４は台座３に取り付けられたＤＣジャック、５はスイッチ、６はポール、７は筒状円形ヘッド、８は配線基板、９は白色発光ダイオード、１２は固定金具である。ＡＣアダプタ１のＤＣプラグ２をＤＣジャック４に差し込みデスクライト装置１０１に電源を供給する。白色発光ダイオード９を実装した配線基板８を搭載した筒状円形ヘッド７はポール６に固定金具１２で固定されている。台座３はデスクライト装置１０１が転倒しないようにするためのものである。【０００４】  デスクライト装置１０１ではスイッチ５をオンすることで筒状円形ヘッド７に電源を供給し、白色発光ダイオード９を点灯させる。ポール６にフレキシブルパイプを用いれば机上面の照射位置はフレキシブルパイプを前後左右に変形させることで選定できるが、フレキシブルパイプの曲げ角度に限界があること、およびデスクライト装置１０１が転倒しないようにするための条件から、フレキシブルパイプを変形できる範囲には自ずと限界があり、したがって、照射すべき位置の選定範囲を広げることは困難である。【０００５】  また、蛍光灯や白熱灯などを用いたデスクライト装置で蛍光灯あるいは、白熱灯が不良となった場合は、素人でも簡単に蛍光灯や白熱灯を取り替えることができる。白色発光ダイオードを用いたデスクライト装置１０１では複数個直列接続した白色発光ダイオードを複数並列接続して使用するので、直列接続した白色発光ダイオードの１個がオープンモードの故障を起こすと、直列接続された白色発光ダイオードには電流が流れなくなるので、直列接続白色発光ダイオード全てが点灯しなくなる。デスクライト装置１０１では白色発光ダイオードは配線基板にハンダ付けされているので、素人にとって点灯不良となった白色発光ダイオードを識別し、良品の白色発光ダイオードと交換して修理することは困難である。【０００６】  本考案は上述した問題点を解決するために、操作性、保守性を向上させた白色発光ダイオードを用いたデスクライト装置を提供することにある。
【課題を解決するための手段】
【０００７】  台座、ポール、白色発光ダイオードを搭載した配線基板、筒状円形ヘッドから成るデスクライトにおいて、ポール先端に電源供給用ＤＣプラグと筒状円形ヘッド底部の中心以外に白色発光ダイオードに電源を供給するＤＣジャックを設ける。
【考案の効果】
【０００８】  本考案によるデスクライト装置は筒状円形ヘッドとポールは電源供給を兼ねたＤＣプラグとＤＣジャックによって接続されているだけなのでポールと筒状円形ヘッドの分離は容易であり、また、筒状円形ヘッドを３６０度回転させることができ、筒状円形ヘッドの高さを最大筒状円形底部の直径分変えることが可能となり、机上の照射範囲の拡大と選定を容易に行うことができる。【０００９】  また、筒状円形ヘッドをポールに着脱することが極めて容易であり、白色発光ダイオードが不良になった場合でも良品の筒状円形ヘッドと取替えることができるので、スクライト装置の修理を容易に行うことができる。
【考案を実施するための最良の形態】
【００１０】  図１は本考案に関わる白色発光ダイオードを用いたデスクライトの実施例である。１００はデスクライト装置、１はＡＣアダプタ、２はＡＣアダプタ１のＤＣプラグ、３は台座、４は台座３に取り付けられたＤＣジャック、５はスイッチ、６はポール、７は筒状円形ヘッド、８は配線基板、９は白色発光ダイオード、１０はポール６の先端に取り付けられたＤＣプラグ、１１は筒状円形ヘッド７に取り付けられたＤＣジャックである。【００１１】  図１において台座３はデスクライト装置１００が転倒しないようにするためのものである。ポール６にフレキシブルパイプを適用することにより、筒状円形ヘッド７の位置を調整することができようになっている。ポール６と筒状円形ヘッド７の接続はポール６の先端に取り付けられたプラグ１０を筒状円形ヘッド７に取り付けられたジャック１１に差し込むことで行う。ＡＣアダプタプ１の出力はプラグ２、ジャック４、スイッチ５、ＤＣプラグ１０、ＤＣジャック１１を介して白色発光ダイオード９に供給される。したがって、ポール６と筒状円形ヘッド７の取り付け、取り外しは極めて容易に行うことができ、白色発光ダイオード９が点灯不良を起こしても、筒状円形ヘッド７を取り替えるだけでデスクライト装置１００の修理が可能となる。【００１２】  ポール６に筒状円形ヘッド７を取り付けた状態でＡＣアダプタ１のプラグ２を台座３に取り付けられたＤＣジャック４に差し込みスイッチ５をオンさせると、筒状円形ヘッド７に搭載されている配線基板にハンダ付けされた白色発光ダイオード９が点灯する。この状態で仮にＤＣプラグ１０をＤＣジャック１１から引き抜いてプラグ１０の電源部が露出しても、ＡＣアダプタ１からの供給電圧を１２Ｖ程度にしておけば感電する危険は全くない。【００１３】  ＤＣプラグ１０とＤＣジャック１１は接触しているだけなので、ＤＣプラグ１０とＤＣジャック１１の接触部が円形であれば筒状円形ヘッド７を３６０度回転させることかできる。フレキシブルパイプのみで筒状円形ヘッド７の位置調整を行うよりも、フレキシブルパイプとプラグ１０、ジャック１１の併用によって、筒状円形ヘッド７の位置調整がより一層柔軟になり、机上の照射範囲の拡大と選定を容易に行うことができる。【００１４】  図２は図１に示す筒状円形ヘッド７の位置から筒状円形ヘッド７を１８０度回転させた筒状円形ヘッド７の位置を示す。図１と同等構成については同符号を付すこととする。筒状円形ヘッド７はプラグ１０、またはＤＣジャック１１を中心に回転するので、図１では筒状円形ヘッド７はＤＣプラグ１０とＤＣジャック１１の下部、つまり、ＤＣプラグ１０とジャック１１は筒状円形ヘッド７の上部にあるが、図２ではＤＣプラグ１０とＤＣジャック１１は筒状円形ヘッド７の下部に移動する。すなわち、筒状円形ヘッド７は筒状円形ヘッド７の底部の直径分だけ上部に移動したことになる。【００１５】  図３は筒状円形ヘッド７を時計周りに移動させた時の移動軌跡を示す図である。６はポール、１１は筒状円形ヘッド７に取り付けられたＤＣジャックである。Ａは筒状円形ヘッド７が最上部にある状態を示している。ＢはＡから９０度回転させた時の位置を示している。ＣはＢからさらに９０度回転させた時の位置を示しており、最下部にある状態である。ＤはＣからさらに９０度回転させた時の位置を示している。【００１６】  ＡとＣでは筒状円形ヘッド７は筒状円形ヘッド７の底部の直径分だけ上部から下部に移動したことになる。また、ＢとＤでは筒状円形ヘッド７は筒状円形ヘッド７の右側から直径分だけ左に移動したことになる。筒状円形ヘッド７はＤＣジャック１１を中心に３６０度回転できるので、フレキシブルパイプとの併用により筒状円形ヘッド７の移動調整が容易となり、照射範囲を拡大することが可能となる。【００１７】  ヘッドは筒状円形ヘッドに限定されるものではなく、ＤＣジャック１１を中心に３６０度回転できる形状のヘッドであれば、フレキシブルパイプとの併用によりヘッドの移動調整が容易となり、照射範囲を拡大することが可能となる。【００１８】  本考案による白色発光ダイオードを用いたデスクライト装置はポールとヘッドの取り付け、取り外しが容易であるばかりでなく同時に電源も供給でき、かつヘッドを３６０度回転できるので、白色発光ダイオードの不点灯故障が発生したときの修理が迅速に行え、ポールにフレキシブルパイプを使用すれば、筒状円形ヘッド７の位置調整が柔軟に行え、机上の照射範囲の拡大と選定を容易に行うことができる。
【図面の簡単な説明】
【００１９】
【図１】本考案に関わるデスクライト装置の構成例を示す全体図である。
【図２】本考案に関わるヘッド位置の移動を示す図である。
【図３】本考案に関わるヘッドの回転移動を示す図である。
【図４】従来のデスクライト装置の構成例を示す全体図である。
【符号の説明】
【００２０】  １  ＡＣアダプタ
２  ＡＣアダプタ１のＤＣプラグ
３  台座
４  台座４に取り付けられたＤＣジャック
５  スイッチ
６  ポール
７  筒状円形ヘッド
８  配線基板
９  白色発光ダイオード
１０  ポール６に取り付けられたＤＣプラグ
１１  筒状円形ヘッド７に取り付けられたＤＣジャック
１２  固定金具
１００  本考案のデスクライト装置
１０１  従来のデスクライト装置
Ａ  筒状円形ヘッドの最上部位置
Ｂ  Ａから９０度回転させた時の筒状円形ヘッド位置
Ｃ  Ａから１８０度回転させた時の筒状円形ヘッド位置
Ｄ  Ａから２７０度回転させた時の筒状円形ヘッド位置
【図１】
0003136138.tif 000003
【図２】
0003136138.tif 000004
【図３】
0003136138.tif 000005
【図４】
0003136138.tif 000006
【手続補正書】
【提出日】平成19年7月17日(2007.7.17)
【手続補正１】
【補正対象書類名】実用新案登録請求の範囲
【補正対象項目名】請求項２
【補正方法】変更
【補正の内容】
【請求項２】
前記ポール先端に取り付けたＤＣプラグ、該筒状円形容器底部に取り付けたＤＣジャックから発光ダイオードに電源を供給することを特徴とする請求項１記載のデスクライト装置